(57)【特許請求の範囲】
【請求項１】
ＩＥＥＥ８０２．１１に基づくワイヤレス通信ネットワーク内の第２のネットワークノード（８１２）に対するアソシエーション手続を決定する際にワイヤレス通信デバイスを支援するための、前記ワイヤレス通信ネットワーク内の第１のネットワークノード（８１１）により実行される方法であって
高速初期リンクセットアップ（ＦＩＬＳ）ディスカバリフレームにおいて、前記第２のネットワークノードが属するモビリティドメインに関するモビリティドメイン情報を前記ワイヤレス通信デバイスへ送信（９０１）して、前記ワイヤレス通信デバイスが、前記モビリティドメイン情報に基づいて、前記第１のネットワークノードと前記第２のネットワークノードとが同じモビリティドメインに属するか否かを判定し、前記モビリティドメイン情報に基づく判定結果に基づいて、前記第２のネットワークノードとのアソシエーションを完全な認証手続を通じて行うべきか又は低減された認証手続を通じて行うべきかを決定することを可能にすること、
を含み、
前記モビリティドメインは、基本サービスセット（ＢＳＳ）間の高速ＢＳＳトランジション（ＦＴ）をサポートする、同じ拡張サービスセット（ＥＳＳ）の範囲内のＢＳＳの集合であって、前記ＢＳＳの集合は、前記集合のモビリティドメイン識別子（ＭＤＩＤ）により識別される、
方法。
【請求項２】
前記モビリティドメイン情報は、モビリティドメイン識別子（ＭＤＩＤ）若しくはモビリティドメインエレメント（ＭＤＥ）又はそれらの代表値を含む、請求項１の方法。
【請求項３】
前記モビリティドメイン情報は、前記ＭＤＩＤ又はＭＤＥのハッシュ値を含む、請求項２の方法。
【請求項４】
前記モビリティドメイン情報は、前記ＦＩＬＳディスカバリフレーム内の情報エレメントとして導入される、請求項１〜３のいずれかの方法。
【請求項５】
前記モビリティドメイン情報は、前記ＦＩＬＳディスカバリフレームの一部であるＦＩＬＳ標識エレメント内のフィールドとして含められる、請求項１〜４のいずれかの方法。
【請求項６】
前記方法は、低減された認証手続を通じて前記ワイヤレス通信デバイスとのアソシエーションを行うこと（９０２）、をも含む、請求項１の方法。
【請求項７】
前記低減された認証手続は、高速基本サービスセット（ＢＳＳ）トランジション手続のアクション群を含む、請求項６の方法。
【請求項８】
ＩＥＥＥ８０２．１１に基づくワイヤレス通信ネットワーク内の第２のネットワークノードに対するアソシエーション手続を決定するための、ワイヤレス通信デバイス（８３０）
により実行される方法であって、
前記ワイヤレス通信ネットワーク内の第１のネットワークノードから、高速初期リンクセットアップ（ＦＩＬＳ）ディスカバリフレームにおいて、前記第２のネットワークノードが属するモビリティドメインに関するモビリティドメイン情報を受信すること（１１０１）と、
前記モビリティドメイン情報に基づいて、前記第１のネットワークノードと前記第２のネットワークノードとが同じモビリティドメインに属するか否かを判定し、前記モビリティドメイン情報に基づく判定結果に基づいて、前記第２のネットワークノードとのアソシエーションを完全な認証手続を通じて行うべきか又は低減された認証手続を通じて行うべきかを決定すること（１１０２）と、
を含み、
前記モビリティドメインは、基本サービスセット（ＢＳＳ）間の高速ＢＳＳトランジション（ＦＴ）をサポートする、同じ拡張サービスセット（ＥＳＳ）の範囲内のＢＳＳの集合であって、前記ＢＳＳの集合は、前記集合の識別子（ＭＤＩＤ）により識別される、
方法。
【請求項９】
前記モビリティドメイン情報は、モビリティドメイン識別子（ＭＤＩＤ）若しくはモビリティドメインエレメント（ＭＤＥ）又はそれらの代表値を含む、請求項８の方法。
【請求項１０】
前記モビリティドメイン情報は、前記ＭＤＩＤ又はＭＤＥのハッシュ値を含む、請求項９の方法。
【請求項１１】
前記モビリティドメイン情報は、前記ＦＩＬＳディスカバリフレーム内の情報エレメントとして導入される、請求項８〜１０のいずれかの方法。
【請求項１２】
前記モビリティドメイン情報は、前記ＦＩＬＳディスカバリフレームの一部であるＦＩＬＳ標識エレメント内のフィールドとして含められる、請求項８〜１１のいずれかの方法。
【請求項１３】
前記方法は、低減された認証手続を通じて前記第２のネットワークノードとのアソシエーションを行うこと（１１０３）、をも含む、請求項８の方法。
【請求項１４】
前記低減された認証手続は、高速基本サービスセット（ＢＳＳ）トランジション手続のアクション群を含む、請求項１３の方法。
【請求項１５】
ＩＥＥＥ８０２．１１に基づくワイヤレス通信ネットワーク内の別のネットワークノードに対するアソシエーション手続の決定においてワイヤレス通信デバイスを支援するように構成される前記ワイヤレス通信ネットワーク内のネットワークノード（８１１）であって、
高速初期リンクセットアップ（ＦＩＬＳ）ディスカバリフレームにおいて、前記別のネットワークノードが属するモビリティドメインに関するモビリティドメイン情報を前記ワイヤレス通信デバイスへ送信して、前記モビリティドメイン情報に基づいて、前記ネットワークノードと前記別のネットワークノードとが同じモビリティドメインに属するか否かを判定し、前記モビリティドメイン情報に基づく判定結果に基づいて、前記別のネットワークノードとのアソシエーションを完全な認証手続を通じて行うべきか又は低減された認証手続を通じて行うべきかを前記ワイヤレス通信デバイスが決定することを可能にする、
ように構成され、
前記モビリティドメインは、基本サービスセット（ＢＳＳ）間の高速ＢＳＳトランジション（ＦＴ）をサポートする、同じ拡張サービスセット（ＥＳＳ）の範囲内のＢＳＳの集合であって、前記ＢＳＳの集合は、前記集合のモビリティドメイン識別子（ＭＤＩＤ）により識別される、
ネットワークノード。
【請求項１６】
前記ネットワークノード（８１１）は、モビリティドメイン識別子（ＭＤＩＤ）若しくはモビリティドメインエレメント（ＭＤＥ）又はそれらの代表値を含むモビリティドメイン情報を送信する、ように構成される、請求項１５のネットワークノード。
【請求項１７】
前記ネットワークノード（８１１）は、前記ＦＩＬＳディスカバリフレーム内の情報エレメントとして、モビリティドメイン情報を送信する、ように構成される、請求項１５又は請求項１６のネットワークノード。
【請求項１８】
前記ネットワークノード（８１１）は、モビリティドメイン情報を送信して、前記ワイヤレス通信デバイスが前記モビリティドメイン情報に基づいて前記別のネットワークノードとのアソシエーションを高速基本サービスセット（ＢＳＳ）トランジション手続を通じて行うべきか否かを判定することを可能にする、ように構成される、請求項１５〜１７のいずれかのネットワークノード。
【請求項１９】
前記ネットワークノード（８１１）は、低減された認証手続を通じて前記ワイヤレス通信デバイスとのアソシエーションを行う、ように構成される、請求項１５〜１８のいずれかのネットワークノード。
【請求項２０】
前記ネットワークノード（８１１）は、高速基本サービスセット（ＢＳＳ）トランジション手続を通じて前記ワイヤレス通信デバイスとのアソシエーションを行う、ように構成される、請求項１９のネットワークノード。
【請求項２１】
ＩＥＥＥ８０２．１１に基づくワイヤレス通信ネットワーク内の第２のネットワークノードに対するアソシエーション手続を決定するように構成されるワイヤレスデバイス（８３０）であって、
前記ワイヤレスデバイス（８３０）は、前記ワイヤレス通信ネットワーク内の第１のネットワークノードから、高速初期リンクセットアップ（ＦＩＬＳ）ディスカバリフレームにおいて、前記第２のネットワークノードが属するモビリティドメインに関するモビリティドメイン情報を受信する、ように構成され、
前記ワイヤレスデバイス（８３０）は、前記モビリティドメイン情報に基づいて、前記第１のネットワークノードと前記第２のネットワークノードとが同じモビリティドメインに属するか否かを判定し、前記モビリティドメイン情報に基づく判定結果に基づいて、前記第２のネットワークノードとのアソシエーションを完全な認証手続を通じて行うべきか又は低減された認証手続を通じて行うべきかを決定するように構成され、
前記モビリティドメインは、基本サービスセット（ＢＳＳ）間の高速ＢＳＳトランジション（ＦＴ）をサポートする、同じ拡張サービスセット（ＥＳＳ）の範囲内のＢＳＳの集合であって、前記ＢＳＳの集合は、前記集合のモビリティドメイン識別子（ＭＤＩＤ）により識別される、
ワイヤレスデバイス。
【請求項２２】
前記ワイヤレスデバイス（８３０）は、モビリティドメイン識別子（ＭＤＩＤ）若しくはモビリティドメインエレメント（ＭＤＥ）又はそれらの代表値を含むモビリティドメイン情報を受信する、ように構成される、請求項２１のワイヤレスデバイス。
【請求項２３】
前記ワイヤレスデバイス（８３０）は、前記ＦＩＬＳディスカバリフレーム内の情報エレメントとしてモビリティドメイン情報を受信する、ように構成される、請求項２１又は請求項２２のワイヤレスデバイス。
【請求項２４】
前記ワイヤレスデバイス（８３０）は、モビリティドメイン情報を受信して、前記ワイヤレスデバイスが前記モビリティドメイン情報に基づいて前記第２のネットワークノードとのアソシエーションを高速基本サービスセット（ＢＳＳ）トランジション手続を通じて行うべきか否かを判定することを可能にする、ように構成される、請求項２１〜２３のいずれかのワイヤレスデバイス。
【請求項２５】
前記ワイヤレスデバイス（８３０）は、低減された認証手続を通じて前記第２のネットワークノードとのアソシエーションを行う、ように構成される、請求項２１〜２４のいずれかのワイヤレスデバイス。
【請求項２６】
前記ワイヤレスデバイス（８３０）は、高速基本サービスセット（ＢＳＳ）トランジション手続を通じて前記第２のネットワークノードとのアソシエーションを行う、ように構成される、請求項２５のワイヤレスデバイス。
【発明の詳細な説明】
【技術分野】
【０００１】
提案される技術は、概して、ワイヤレス通信ネットワークにおけるワイヤレス通信及びモビリティに関し、より具体的には、ワイヤレス通信ネットワークにおいてネットワークノードに対するアソシエーション手続の決定においてワイヤレス通信デバイスを支援するための方法、ネットワークノードに対するアソシエーション手続を決定するための方法、ワイヤレス通信のためのフレームであるネットワークシグナリングのための高速初期リンクセットアップ（ＦＩＬＳ）ディスカバリフレームを生成する方法、並びに、対応するネットワークノード、ワイヤレスデバイス、配置、コンピュータプログラム及びコンピュータプログラムプロダクトに関する。
【背景技術】
【０００２】
ワイヤレス通信は、かつてない程の増加した速さで成長しており、広域のワイヤレス通信技術及びローカルエリア通信技術を含む広範なワイヤレス通信技術が存在する。
【０００３】
例えば、ＷＬＡＮ（Wireless  Local  Area  Network）技術は、局所的なエリアのカバレッジの範囲内でワイヤレス通信のための基礎を提供する。概して、ほとんどの商用のアプリケーションは通俗的にはＷｉ−ＦｉともいうＩＥＥＥ８０２．１１の様々なバージョンなど十分に受け入れられた標準に基づいてはいるが、ＷＬＡＮ技術は、業界に特化したソリューションと共に、独自のプロトコルをも含む。
【０００４】
ＷＬＡＮは、家庭、学校、コンピュータ研究所、又はオフィスビルなどの限られたエリアの範囲内で、しばしばスペクトル拡散又はＯＦＤＭ無線であるワイヤレス分散方式を用いて、２つ以上のデバイスをリンクさせるワイヤレスネットワークである。これは、局所的なカバレッジエリア内で動き回りつつネットワークへ接続したままでいる能力をユーザに与え、より広いインターネットへの接続を提供し得る。言及したように、最も近代的なＷＬＡＮは、通常はＷｉ−Ｆｉというブランド名で市場に出るＩＥＥＥ８０２．１１標準群に基づく。
【０００５】
Ｗｉ−ＦｉともいうＩＥＥＥ８０２．１１の具体的な例において、専門用語であるＳＴＡ（STAtion）は、８０２．１１プロトコルを使用するケイパビリティを有するデバイスである。例えば、ＳＴＡは、ラップトップ、デスクトップＰＣ、ＰＤＡ、アクセスポイント又はＷｉ−Ｆｉフォンであってもよい。ＳＴＡは、固定型、移動型又は携帯可能であってもよい。概して、ワイヤレスネットワーキングの専門用語において、ステーション、ワイヤレスクライアント及びノードは、これら用語間の厳密な区別無く互換可能に用いられることが多い。ステーションは、その伝送特性に基づいて、送信機又は受信機としても言及され得る。ＩＥＥＥ８０２．１１−２００７は、公式にはステーションを次のように定義している：ワイヤレス媒体へのＩＥＥＥ８０２．１１に準拠したＭＡＣ（Media  Access  Control）及びＰＨＹ（PHYsical  layer）インタフェースを包含する任意のデバイス。
【０００６】
ＢＳＳ（Basic  Service  Set）は、互いに通信可能な全てのステーションの集合である。より具体的には、ＢＳＳは、８０２．１１ＷＬＡＮの基本的な構成単位（building-block）を提供し、アクセスポイント（ＡＰ）と全ての関連付けられるステーション（ＳＴＡ）とにより定義される。
【０００７】
アクセスポイント（ＡＰ）は、ワイヤレス通信デバイスがＷｉ−Ｆｉ、又は関連する標準を用いて有線ネットワークへ接続することを可能にするデバイスである。
【０００８】
ＷＬＡＮネットワークへの初期の接続
ＳＴＡが最初にＷＬＡＮネットワークへ、即ちＷＬＡＮ  ＡＰへ接続する場合、ＳＴＡは、図１に描いたものと同様の手続を遂行する。
【０００９】
認証手続は、次のステップを含む：
１．ＳＴＡは、他のパラメータの中でもとりわけ、ＡＰが属するＥＳＳに関連付けられるセキュリティ機能を明らかにするBeaconフレームを受信する。Beaconフレームのフォーマット及び搬送される全ての情報エレメントは、ＩＥＥＥ８０２．１１のチャプター８．３．３．２に記述されている［１］
２．何らかの理由でＳＴＡがBeaconフレームを受信しない場合、ＳＴＡは、ProbeRequestを生成してＡＰへ送信する。この手続はアクティブスキャニングと呼ばれ、それを実行することにより、ＳＴＡは、Beaconメッセージから得られたはずのものと同じ情報をＡＰから受信し得る。
３．ＡＰは、ProbeResponseで応答する：
ａ．注：ディスカバリ手続は、ステップ１か、又はステップ２及び３かのいずれかからなる（即ち、Beaconフレームの受信及びプローブメッセージの交換は、相互排他的である）
４．ＳＴＡは、オープンシステム認証（Open  System  Authentication）リクエストを送信する。
５．ＡＰは、オープンシステム認証レスポンスで応答する。
６．次いで、ＳＴＡは、後に使用されるべきセキュリティパラメータを示すAssociationRequestを送信する。
７．ＡＰは、AssociationResponseで応答する
ａ．注：オープンシステム認証は、セキュリティを提供しない。ＳＴＡとＡＰとの間の接続は、後の時点で認証及び鍵共有手続によって保護される。とはいえ、オープンシステム認証メッセージ交換におけるセキュリティパラメータを改変するあり得る攻撃は、鍵導出のステージにおいて検出されることになる。
８．この時点で、オープンシステム認証は完了し、ＳＴＡはＡＰのみと通信し得るが、ＩＥＥＥ８０２．１Ｘにおいて定義されているように、トラフィックの残りはＰＢＮＣ（port-based  network  control）執行部（enforcer）によりブロックされる。但し、外部のホストへ向かうトラフィックのいくつかは、ＲＡＤＩＵＳサーバとの通信のケースでそうであるように、ＡＰにより転送されてもよい。
９．このステップは、ＥＡＰ−ＳＩＭ認証ＲＦＣ４１８６の最初のステップである［２］。ＡＰは、ＥＡＰＯＬフレームの内部にタイプ１８（ＳＩＭ）のEAP-Requestをカプセル化し、ＳＴＡに自身のＩＤ（identity）をレポートするように問合せる。ＳＴＡがＳＩＭを具備しているケースでは、ＩＤは、ＩＭＳＩに続けて“＠”記号及びホームレルム（home  realm）である。ＳＴＡは、他のＥＡＰ方式が利用可能（例えば、ＥＡＰ−ＡＫＡｅ）である場合のＥＡＰ−ＳＩＭの排他的な使用についてのプリファレンスを指し示す目的で、ＩＭＳＩの前に追加的な“１”を含めることも可能である。
１０．ＳＴＡは、自身のＩＤで応答する。その一例は次の通りである：
1234580123000100@wlan.mnc048.mcc264.3gppnetwork.org
（この例では、ＩＭＳＩは234580123000100であり、先頭の“１”はＥＡＰ−ＳＩＭを使用すべきプリファレンスを指し示す）
１１．ＡＰは、EAP-Responseメッセージを抽出し、それをＲＡＤＩＵＳフレーム内にカプセル化してバックエンドのＡＡＡサーバへ転送する。ＲＡＤＩＵＳ上のＥＡＰフレームのハンドリングは、ＩＥＴＦによりＲＦＣ３５７９に記述されている［３］。
１２．ＡＡＡサーバは、ＥＡＰ方式を認識し、ＥＡＰ−ＳＩＭ手続がそのサプリカントのために開始されたことを示すEAP-Request/SIM/Startを送信する。当該メッセージ内には、サポートされるＳＩＭバージョンのリストも含まれる。これは、ＲＦＣ４１８６のチャプター１０．２に記述されている通りである［２］
１３．ＡＰは、EAP-Request/SIM/StartメッセージをＳＴＡへ中継する。
１４．ＳＴＡは、AT_NONCE_MT属性内で搬送されるランダム数（NONCE_MT）と共に選択されたEAP-SIMバージョン（AT_SELECTED_VERSION）を搬送するEAP-Response/SIM/Startメッセージで応答する。
１５．ＡＰは、EAP-Response/SIM/StartをＡＡＡサーバへ転送する。
１６．ＡＡＡサーバは、ＨＬＲ／ＡｕＣからＧＳＭトリプレット（RAND、SRES及びKc）を取得し、ＲＦＣ４１８６のチャプター７で仕様化されている通りに鍵生成の素材を導出する［２］。ＧＳＭトリプレットは、次のものからなる：
ａ．ＲＡＮＤ  −  加入者認証がリクエストされた場合に認証センタ（初期アタッチの時点で加入者を認証するために使用される、ＧＳＭコアネットワーク内のエンティティ）により生成される１２８ビットのランダム数である。その用途は、ＳＲＥＳ（Signed  Response）及びＫｃの導出用である。
ｂ．ＳＲＥＳ  −  ３２ビットの変数であり、ＲＡＮＤでのチャレンジが行われた後の移動局／ＳＴＡからの期待されるレスポンスである。
ｃ．Ｋｃ  −  ＳＴＡとＡＰとの間で送信されるデータを暗号化し及び逆暗号化するために使用される、６４ビットの暗号鍵である。
１７．ＡＡＡは、ＲＡＮＤチャレンジ及びメッセージ認証コード属性（AT_MAC）を含むEAP-Request/SIM/Challengeメッセージを生成する。ＡＴ＿ＭＡＣ導出は、ＲＡＮＤ及びＫｃの値に基づく。
１８．ＡＰは、EAP-Request/SIM/ChallengeメッセージをＳＴＡへ転送する。
１９．ＳＴＡは、ＳＩＭ上で稼働するＧＳＭアルゴリズムへ受信したＲＡＮＤを供給し、その出力はＡＴ＿ＭＡＣのコピー及びＳＲＥＳ値である。ＳＴＡが最初にすべきことは、ＡＡＡにより受信された（ＡＰにより中継された）ＡＴ＿ＭＡＣ値とＳＩＭにより生成された値とがマッチするかをチェックすることである。マッチしていればＳＴＡは認証を継続し、そうでなければＳＴＡはEAP-Response/SIM/Client-Errorメッセージで応答する。それに次ぐのは、生成されたＳＲＥＳに基づいて新たなＡＴ＿ＭＡＣを導出することである。
２０．新たなＡＴ＿ＭＡＣは、EAP-Response/SIM/Challengeメッセージ内で（ＡＰを介して）ＡＡＡサーバへ送信される。
２１．ＡＰは、EAP-Response/SIM/ChallengeをＡＡＡサーバへ転送する。
２２．ＡＡＡサーバは、ＳＴＡが送信したばかりの新たなＡＴ＿ＭＡＣ値を検証する。検証が成功すると、ＡＡＡサーバは、EAP-SuccessメッセージをＡＰへ送信する。当該メッセージは、鍵生成の素材−ＰＭＫ（Pairwise  Master  Key）−をも搬送する。ＰＭＫは、上記ＡＰのみを対象とし、ＳＴＡへは転送されない（ＳＴＡは、同じ鍵を自律的に導出し得る。なぜならそれは、ＳＴＡ内のＳＩＭがＲＡＮＤに基づいて算出し得るＫｃに基づくからである）。
２３．ＡＰは、EAP-SuccessメッセージをＳＴＡへ転送し、後続の４ｗａｙハンドシェイクのためにＰＭＫを記憶する。
２４．ＡＰは、ＰＭＫを使用して、ＡＮｏｎｃｅ（Authenticator  nonce）を生成する。
２５．ＡＮｏｎｃｅ値が、EAPOL-Keyメッセージ内でＳＴＡへ送信される。
２６．ＳＴＡは、受信されるＡＮｏｎｃｅを（ＳＮｏｎｃｅ及びＰＭＫと共に）用いて、ＰＴＫ（Pairwise  Temporal  Key）を構築する。
２７．ＳＴＡは、ＳＮｏｎｃｅ（Supplicant  nonce）及びＭＩＣ（message  integrity  code）を含むEAPOL-KeyメッセージをＡＰへ送信する。
２８．ＡＰは、ＡＮｏｎｃｅ、ＳＮｏｎｃｅ及びＰＭＫを使用して、ＰＴＫを構築する。また、ＡＰは、ＳＴＡが正確かつフレッシュな鍵を算出したことを検証する目的でＭＩＣを使用する。さらに、ＡＰは、ブロードキャスト及びマルチキャストトラフィックの暗号化及び逆暗号化のために排他的に使用されるＧＴＫ（Group  Temporal  Key）をも生成してインストールする。
２９．ＡＰは、暗号化されたＧＴＫ、次のブロードキャストメッセージのために使用すべきシーケンス番号、及びＰＴＫをインストールせよとの指示をＳＴＡへ送信する（メッセージは、他のＭＩＣにより完全性保護される）。
３０．ＳＴＡは、確認応答メッセージで応答する。
３１．ＳＴＡは、ＰＴＫ及びＧＴＫの双方をインストールし、その時点からそれらを使用して全ての通信を暗号化し及び逆暗号化する。
３２．ＡＰは、ＰＴＫをもインストールする。
３３．８０２．１Ｘコントロールポートが今やオープンし、ＳＴＡはＡＰ以外の他のネットワークホストと通信し得る。
【００１０】
上の内容から理解され得るように、認証手続は時間を要し多数のシグナリングを包含し得る。ネットワーク内を動き回るＳＴＡは、何度も再アソシエーションを実行するであろう。よって、アソシエーション手続及び再アソシエーション手続には改善の余地がある。
米国特許出願公開第２０１３／０３０１６０７号明細書は、互いに異なる拡張サービスセット（ＥＳＳ）ネットワーク間の、潜在的には拡張認証サーバ（ＥＡＳ）の手助けを介するアソシエーション前のシグナリングに基づいて通信される鍵に基づくトランジションのための方法を開示している。
【発明の概要】
【発明が解決しようとする課題】
【００１１】
ある目的は、ワイヤレス通信ネットワークの性能を改善することである。
【００１２】
他の目的は、ワイヤレス通信ネットワークにおいてネットワークノードに対するアソシエーション手続の決定においてワイヤレス通信デバイスを支援するための方法を提供することである。
【００１３】
ネットワークノードに対するアソシエーション手続を決定するための方法を提供することもまた目的である。
【００１４】
他の目的は、ワイヤレス通信のためのフレームを生成する方法を提供することである。
【００１５】
また別の目的は、ワイヤレス通信ネットワークにおけるネットワークシグナリングのために、改善された高速初期リンクセットアップ（ＦＩＬＳ）ディスカバリフレームを提供することである。
【００１６】
また別の目的は、ネットワークノードに対するアソシエーション手続の決定においてワイヤレス通信デバイスを支援するように構成されるネットワークノードを提供することである。
【００１７】
ネットワークノードに対するアソシエーション手続を決定するように構成されるワイヤレスデバイスを提供することもまた目的である。
【００１８】
他の目的は、ワイヤレス通信のためのフレームを生成するように構成される配置を提供することである。
【００１９】
また別の目的は、対応するコンピュータプログラム及びコンピュータプログラムプロダクトを提供することである。
【００２０】
また別の目的は、ネットワークノードに対するアソシエーション手続の決定においてワイヤレス通信デバイスを支援するためのネットワークノードを提供することである。
【００２１】
ネットワークノードに対するアソシエーション手続を決定するためのワイヤレスデバイスを提供することもまた目的である。
【００２２】
他の目的は、ワイヤレス通信のためのフレームを生成するための配置を提供することである。
【００２３】
提案される技術の実施形態のうちの少なくとも１つにより、これら及び他の目的が充足される。
【課題を解決するための手段】
【００２４】
第１の観点によれば、ワイヤレス通信ネットワークにおいてネットワークノードに対するアソシエーション手続を決定する際にワイヤレス通信デバイスを支援するための、上記ネットワークノードにより実行される方法が提供される。上記方法は：
高速初期リンクセットアップ（ＦＩＬＳ）ディスカバリフレームにおいて、上記ネットワークノードが属するモビリティドメインに関する情報を上記ワイヤレス通信デバイスへ送信して、上記ワイヤレス通信デバイスが上記ネットワークノードとのアソシエーションを完全な認証手続を通じて行うべきか又は低減された認証手続を通じて行うべきかを決定することを可能にすること、を含む。
【００２５】
第２の観点によれば、ワイヤレス通信ネットワークにおいてネットワークノードに対するアソシエーション手続を決定するための、ワイヤレス通信デバイスにより実行される方法が提供される。上記方法は：
上記ネットワークノードから、高速初期リンクセットアップ（ＦＩＬＳ）ディスカバリフレームにおいて、上記ネットワークノードが属するモビリティドメインに関する情報を受信することと、
上記ネットワークノードとのアソシエーションを完全な認証手続を通じて行うべきか又は低減された認証手続を通じて行うべきかを、上記モビリティドメインに関する上記情報に基づいて決定することと、
を含む。
【００２６】
第３の観点によれば、ワイヤレス通信のためのフレームを生成する方法が提供される。上記方法は：
ワイヤレス通信ネットワークにおけるネットワークシグナリングのための高速初期リンクセットアップ（ＦＩＬＳ）ディスカバリフレーム内にモビリティドメイン情報を含めること、
を含む。
【００２７】
第４の観点によれば、ワイヤレス通信ネットワークにおけるネットワークシグナリングのための高速初期リンクセットアップ（ＦＩＬＳ）ディスカバリフレームが提供される。上記ＦＩＬＳディスカバリフレームは、モビリティドメイン情報を含む。
【００２８】
第５の観点によれば、ワイヤレス通信ネットワークにおいてネットワークノードに対するアソシエーション手続の決定においてワイヤレス通信デバイスを支援するように構成される上記ネットワークノードが提供される。上記ネットワークノードは、高速初期リンクセットアップ（ＦＩＬＳ）ディスカバリフレームにおいて、上記ネットワークノードが属するモビリティドメインに関する情報を上記ワイヤレス通信デバイスへ送信して、上記ネットワークノードとのアソシエーションを完全な認証手続を通じて行うべきか又は低減された認証手続を通じて行うべきかを上記ワイヤレス通信デバイスが決定することを可能にする、ように構成される。
【００２９】
第６の観点によれば、ワイヤレス通信ネットワークにおいてネットワークノードに対するアソシエーション手続を決定するように構成されるワイヤレスデバイスが提供される。上記ワイヤレスデバイスは、上記ネットワークノードから、高速初期リンクセットアップ（ＦＩＬＳ）ディスカバリフレームにおいて、上記ネットワークノードが属するモビリティドメインに関する情報を受信する、ように構成される。上記ワイヤレスデバイスは、上記ネットワークノードとのアソシエーションを完全な認証手続を通じて行うべきか又は低減された認証手続を通じて行うべきかを、上記モビリティドメインに関する上記情報に基づいて決定する、ようにも構成される。
【００３０】
第７の観点によれば、ワイヤレス通信のためのフレームを生成するように構成される配置（arrangement）が提供され、上記配置は、ワイヤレス通信ネットワークにおけるネットワークシグナリングのための高速初期リンクセットアップ（ＦＩＬＳ）ディスカバリフレーム内にモビリティドメイン情報を含める、ように構成される。
【００３１】
第８の観点によれば、少なくとも１つのプロセッサにより実行された場合に、上記少なくとも１つのプロセッサに、高速初期リンクセットアップ（ＦＩＬＳ）ディスカバリフレーム内にネットワークノードが属するモビリティドメインに関する情報を含めることにより、上記ＦＩＬＳディスカバリフレームを上記ネットワークノードからワイヤレスデバイスへの送信のために準備して、上記ネットワークノードとのアソシエーションを完全な認証手続を通じて行うべきか又は低減された認証手続を通じて行うべきかを上記ワイヤレス通信デバイスが決定することを可能にすること、を行わせる命令、を含むコンピュータプログラムが提供される。
【００３２】
第９の観点によれば、少なくとも１つのプロセッサにより実行された場合に、上記少なくとも１つのプロセッサに、高速初期リンクセットアップ（ＦＩＬＳ）ディスカバリフレームにおいてネットワークノードから受信される、上記ネットワークノードが属するモビリティドメインに関する情報に基づいて、ワイヤレス通信デバイスの上記ネットワークノードとのアソシエーションを完全な認証手続を通じて行うべきか又は低減された認証手続を通じて行うべきかを決定すること、を行わせる命令、を含むコンピュータプログラムが提供される。
【００３３】
第１０の観点によれば、少なくとも１つのプロセッサにより実行された場合に、上記少なくとも１つのプロセッサに、高速初期リンクセットアップ（ＦＩＬＳ）ディスカバリフレーム内にモビリティドメイン情報を含めることにより、ワイヤレス通信のためのフレームを生成すること、を行わせる命令、を含むコンピュータプログラムが提供される。
【００３４】
第１１の観点によれば、上述したようなコンピュータプログラムを記憶しているコンピュータ読取可能な媒体、を含むコンピュータプログラムプロダクトが提供される。
【００３５】
第１２の観点によれば、ワイヤレス通信ネットワークにおいてネットワークノードに対するアソシエーション手続を決定する際にワイヤレス通信デバイスを支援するための上記ネットワークノードが提供される。上記ネットワークノードは、高速初期リンクセットアップ（ＦＩＬＳ）ディスカバリフレームを、上記ネットワークノードが属するモビリティドメインに関する情報を含めることにより、ワイヤレスデバイスへの送信のために準備して、上記ネットワークノードとのアソシエーションを完全な認証手続を通じて行うべきか又は低減された認証手続を通じて行うべきかを上記ワイヤレス通信デバイスが決定することを可能にするための準備モジュール、を備える。
【００３６】
第１３の観点によれば、ワイヤレス通信ネットワークにおいてネットワークノードに対するアソシエーション手続を決定するためのワイヤレスデバイスが提供される。上記ワイヤレスデバイスは、高速初期リンクセットアップ（ＦＩＬＳ）ディスカバリフレームにおいて上記ネットワークノードから受信される、上記ネットワークノードが属するモビリティドメインに関する情報に基づいて、上記ワイヤレス通信デバイスの上記ネットワークノードとのアソシエーションを完全な認証手続を通じて行うべきか又は低減された認証手続を通じて行うべきかを決定するための決定モジュール、を備える。
【００３７】
第１４の観点によれば、ワイヤレス通信のためのフレームを生成するための配置が提供される。上記配置は、高速初期リンクセットアップ（ＦＩＬＳ）ディスカバリフレームを、当該ＦＩＬＳディスカバリフレーム内にモビリティドメイン情報を含めることにより生成するためのフレーム生成モジュール、を備える。
【発明の効果】
【００３８】
提案される技術の利点は、改善されたＦＩＬＳディスカバリフレームによって、ワイヤレス端末又はステーションなどの受信デバイスが低減されよって高速化される認証手続を使用し得るかを決定することが可能となること、そのため全体としてのアソシエーション及び再アソシエーション手続が改善されることである。
【００３９】
他の利点は、詳細な説明を読むことで理解されるであろう。
【図面の簡単な説明】
【００４０】
次の添付図面と併せて以下の説明を参照することにより、実施形態がそれらのさらなる目的及び利点と共に最もよく理解され得る。
【００４１】
【図１】旧来のＷＬＡＮ認証手続の一例を示す概略図である。
【図２】ＷＬＡＮネットワークにおいて高速ＢＳＳトランジション（ＦＴ）をサポートするためのネットワークトポロジーの一例を示す概略図である。
【図３】Mobility  Domain  Elementのフォーマットの一例を示す概略図である。
【図４】FT  Capability  and  Policyフィールドの一例を示す概略図である。
【図５】高速ＢＳＳトランジション（ＦＴ）手続についてのプロセスフローの一例を示す概略図である。
【図６】旧来のＦＩＬＳディスカバリフレームのフレームフォーマットの一例を示す概略図である。
【図７】シグナリング及び対応するアクションの一例を示す、シグナリング及びアクションの結合図である。
【図８】ワイヤレス通信ネットワークの関係する部分の一例を示す概略図である。
【図９】一実施形態に係る、ワイヤレス通信ネットワークにおいてネットワークノードに対するアソシエーション手続を決定する際にワイヤレス通信デバイスを支援するための方法の一例を示す概略フロー図である。
【図１０】ネットワークノードの実装例を示す概略ブロック図である。
【図１１】一実施形態に係る、ワイヤレス通信ネットワークにおいてネットワークノードに対するアソシエーション手続を決定するための方法の一例を示す概略フロー図である。
【図１２】一実施形態に係るワイヤレス通信デバイスの実装例を示す概略ブロック図である。
【図１３】一実施形態に係る改善されたＦＩＬＳディスカバリフレームの一例を示す概略図である。
【図１４】モビリティドメイン情報を含むＦＩＬＳディスカバリフレーム内のベンダ固有エレメントの一例を示す概略図である。
【図１５】一実施形態に係る、ワイヤレス通信のためのフレームを生成するための方法の一例を示す概略フロー図である。
【図１６】一実施形態に係る配置の実装例を示す概略ブロック図である。
【図１７】一実施形態に係るコンピュータ実装の一例を示す概略図である。
【発明を実施するための形態】
【００４２】
図面を通じて、同様の又は対応する要素について同じ参照符号が使用されている。
【００４３】
提案される技術のより良い理解のために、ＷＬＡＮ（Wireless  Local  Area  Network）の具体的かつ非限定的な文脈を参照しながら簡単な概要と分析とを述べることが有益であり得る。
【００４４】
ここで展開しつつある実施形態の一部として、問題がまず特定され議論されるであろう。その問題が生じ得るワイヤレス通信ネットワークの非限定的な一例として、Ｗｉ−Ｆｉが使用されることになる。ここでは、Ｗｉ−Ｆｉ及びＷＬＡＮとの用語が互換可能に使用される。
【００４５】
＜ＷＬＡＮ及びＢＳＳトランジション＞
ＳＴＡがＡＰ間のトランジションを行う場合、上述したように、必ずしも完全な認証手続を遂行しなくてもよい。８０２．１１標準の改訂の１つ、即ちＩＥＥＥ８０２．１１ｒは、現在はＩＥＥＥ８０２．１１−２０１２の一部であり、ＡＰ間のシームレスなハンドオーバをサポートするために高速ＢＳＳトランジション（ＦＴ）の管理機能を導入している。その手法において、ＳＴＡは、同じモビリティドメインの一部である複数の異なるＡＰ間でハンドオーバを実行する場合、ターゲットＡＰに対して全面的な認証を行う必要性は無く、エア上（over-the-air）の暗号化を刷新すればよいだけである。高速ＢＳＳトランジションのシナリオのためのネットワークトポロジーの一例が図２に描かれている。
【００４６】
モビリティドメイン情報は、ブロードキャスト（即ち、Beaconフレーム内）か又はユニキャストシグナリング（即ち、ProbeResponseフレーム及び／又はAssociation/Re-AssociationResponseフレーム内）かのいずれかによって、異なる複数のＡＰにより広告される。モビリティドメイン情報が包含される正確な情報エレメントは、ＭＤＥ（Mobility  Domain  Element）と呼ばれ、そのフォーマットが図３に描かれている。
【００４７】
さらに、ＭＤＩＤ（Mobility  Domain  IDentifier）は、グローバルでは一意ではないものの個別のネットワークプロバイダにとってローカルで一意な、モビリティドメインの一意識別子を搬送する実フィールドである。
【００４８】
ＳＴＡは、他のＡＰへ高速ＢＳＳトランジションを行う際、全面的な再認証を実行せず、ターゲットＡＰとの間で新規なＰＴＫを導出して、エア上の暗号化を刷新するだけとなる。高速ＢＳＳトランジション手続を開始するＳＴＡを、ＦＴＯ（Fast  BSS  Transition  Originator）という。手続のための全面的なフローが図５に示されている。なお、この呼び出し関係は、高速ＢＳＳトランジションがＲＳＮ（Robust  Secure  Network）において生じるケースを描いているのみであり、他のシナリオについてプロセスの呼び出し関係は異なる形で現れる。
【００４９】
ステップの詳しい説明は次の通りである：
１．ＳＴＡ（ＦＴＯ）は、ＡＰＡ（ソースＡＰ）に対してアソシエーション及び認証を行い、暗号化されたデータを成功裏に送信する。
２．ＳＴＡは、他のＡＰ（ＡＰＢ、ターゲットＡＰ）へのトランジションが行われるべきであると判定する。その決定は、信号強度、ノイズレベルなどを含む様々なメトリックに基づいてなされてよい。
３．ＳＴＡは、ＡＰＢへＦＴＡＡ（Fast  Transition  Authentication  Algorithm）、ＳＮＥ（RSN  Element）、ＭＤＥ（Mobility  Domain  Element）及びＦＴＥ（Fast  BSS  Transition  Element）を指し示すAuthenticationRequestをＡＰＢへ送信する。ＦＴＥは、ＳＮｏｎｃｅ（Supplicant  Nonce）及びＲ０ＫＨ−ＩＤを搬送する。Ｒ０ＫＨ−ＩＤは、ＰＭＫ−Ｒ０に関連付けられる。
４．（オプション）ＡＰＢは、ＳＴＡにより指し示されるＰＭＫ−Ｒ１を有しない場合、通常はＡＣ（Access  Point  Controller）であるＲ０ＫＨから、それをリクエストしてもよい。鍵の取得元であり得るＲ０ＫＨは、ステップ３のAuthenticationRequestメッセージにおいてＳＴＡにより指し示されるＲ０ＫＨＮａｍｅにより識別される。
５．（オプション）Ｒ０ＫＨ（ＡＣ）は、ＰＭＫ−Ｒ１を提供する。
６．次いで、ＡＰＢは、ＦＴＡＡ、ＲＳＮＥ、ＭＤＥ及びＦＴＥを指し示すAuthenticationResponseで応答する。AuthenticationResponseは、このケースでは、ＳＮｏｎｃｅ及びＲ０ＫＨ−ＩＤに加えて、ＰＭＫ−Ｒ１キーに関連付けられるＡＮｏｎｃｅ（Authentication  Nonce）及びＲ１ＫＨ−ＩＤをも搬送する。ＳＴＡ及びＡＰＢは、共に、ＳＮｏｎｃｅ、ＡＮｏｎｃｅ、ＰＭＫ−Ｒ１及びＰＭＫＲ１Ｎａｍｅに基づいて、新たなＰＴＫを算出する。
７．次いで、ＳＴＡは、Re-associationRequestを送信して、許容される再アソシエーション締切時間内にＡＰＢとの再アソシエーションを行う。
８．ＡＰＢは、Re-associationResponseで応答する。
９．８０２．１Ｘコントロールポイントがブロック解除され、ＳＴＡはＡＰＢとの間で成功裏に暗号化データを送信し得る。
【００５０】
＜高速初期リンクセットアップ＞
ＩＥＥＥ８０２．１１標準についての改訂である高速初期リンクセットアップ（ＦＩＬＳ）は、新たなブロードキャストフレームである、ＦＤフレームともいうＦＩＬＳディスカバリフレームを導入しており、これはBeaconフレームよりも頻繁に送信される。Beaconフレームは通常１００ｍｓごとに送信される一方、ＦＤフレームは２０ｍｓごとの頻度で、又は１０ｍｓの頻度で送信される可能性さえある。ＦＤフレームを有する狙いは、初期アソシエーション手続を改善し及びスピードアップすることである。しかしながら、ＦＤフレームの周期がより短いことから、管理トラフィックを過剰に取り込んでエア上の性能を劣化させることのないように、その内容は最小限度に保たれる。ＦＤフレームの内容は、図６に示されている。拡張されたＦＩＬＳフレームの例を、文献［４］、［５」に見出すことができる。
【００５１】
発明者らは、高速ＢＳＳトランジション及びＦＩＬＳを統合する可能性を認識し、これら手続に関するある機会を突き止めた。一旦ＳＴＡがあるモビリティドメインへの初期アソシエーションを図１に描かれている手続に従って遂行すると、ＳＴＡは、最初のアソシエーション相手のＡＰ（例えば、ソースＡＰ）と同じモビリティドメイン内の他のＡＰ（例えば、ターゲットＡＰ）との再アソシエーションを望む場合に、高速ＢＳＳトランジションを図５に描かれている手続に従って遂行する機会を有する高速ＢＳＳトランジションを行うことにより、ＳＴＡは、中断時間と、ＡＰ間トランジションに関連付けられるネットワークシグナリングとを有意に低減する。
【００５２】
現在のところ、ＦＩＬＳ  ＳＴＡは、早ければ図７に示したようなＦＤフレームの受信後に、ＦＩＬＳ  ＡＰとのアソシエーションを試行し得る。しかしながら、ＳＴＡが再アソシエーションを遂行できるようにするために、ターゲットＡＰがソースＡＰと同じモビリティドメインの一部であるかを認識できる必要がある。ＦＩＬＳ  ＡＰにより送信されるＦＤフレームは当該ＡＰが属するモビリティドメインに関する情報を搬送しないため、ＦＩＬＳ  ＳＴＡは、そのＡＰへの高速ＢＳＳトランジションを行ってよいのか知る術を有しない。この意味において、ＦＩＬＳ  ＳＴＡは、高速ＢＳＳトランジションでの再アソシエーションとは反対に、通常のＦＩＬＳアソシエーションを遂行することが必要であり得る。これにより、いくつかのケースで、余計なネットワークシグナリングが生じ、トランジション時間に悪影響が及ぶことになる。
【００５３】
ここでの実施形態は、ＦＩＬＳディスカバリフレーム内で搬送されるＦＩＬＳ  ＡＰによりブロードキャストされる情報を、当該ＡＰが属するモビリティドメインに関する情報を伴うように改訂する。この手法で、ＦＩＬＳ  ＳＴＡは、早ければ１つのＦＤフレームの受信後に、そのＡＰが属するモビリティドメインを十分に認識することになる。
【００５４】
ここでの実施形態のある観点によれば、ワイヤレス通信ネットワークにおいてネットワークノードに対するアソシエーション手続を決定する際にワイヤレス通信デバイスを支援するための、上記ネットワークノードにより実行される方法が提供される。
【００５５】
ネットワークノードは、高速初期リンクセットアップ（ＦＩＬＳ）ディスカバリフレームにおいて、当該ネットワークノードが属するモビリティドメインに関する情報をワイヤレス通信デバイスへ送信し、当該情報は、ワイヤレス通信デバイスが上記ネットワークノードとのアソシエーションを完全な認証手続を通じて行うべきか又は低減された認証手続を通じて行うべきかを決定することを可能にする。図９のステップ９０１を参照することができる。
【００５６】
ここでの実施形態の他の観点によれば、後に詳しく説明するように、上述した方法を実行するように構成されるネットワークノードが提供される。
【００５７】
ここでの実施形態のまた別の観点によれば、ワイヤレス通信ネットワークにおいてネットワークノードに対するアソシエーション手続を決定するための、ワイヤレス通信デバイスにより実行される方法が提供される。
【００５８】
ワイヤレス通信デバイスは、ネットワークノードから、高速初期リンクセットアップ（ＦＩＬＳ）ディスカバリフレームにおいて、上記ネットワークノードが属するモビリティドメインに関する情報を受信する。図１１のステップ１１０１を参照することができる。
【００５９】
ワイヤレス通信デバイスは、上記ネットワークノードとのアソシエーションを完全な認証手続を通じて行うべきか又は低減された認証手続を通じて行うべきかを、上記モビリティドメインに関する情報に基づいて決定する。図１１のステップ１１０２を参照することができる。
【００６０】
ここでの実施形態のまた別の観点によれば、後に詳しく説明するように、上述した方法を実行するように構成されるワイヤレス通信デバイスが提供される。
【００６１】
ここでの実施形態のある観点によれば、ワイヤレス通信のためのフレームを生成する方法が提供される。当該方法は、ワイヤレス通信ネットワークにおけるネットワークシグナリングのための高速初期リンクセットアップ（ＦＩＬＳ）ディスカバリフレーム内にモビリティドメイン情報を含めること、を含む。図１５のステップ１３０１を参照することができる。
【００６２】
ここでの実施形態の他の観点によれば、後に詳しく説明するように、上述した方法を実行するように構成される配置が提供される。
【００６３】
ＦＩＬＳディスカバリフレームはネットワークノードが属するモビリティドメインに関する情報を搬送することから、ワイヤレス通信デバイスは、より高速且つリソース需要の少ない手法で、低減された認証手続が可能か否かを発見することができる。それにより、アソシエーション及び／又は再アソシエーション手続が改善され、結果的にワイヤレス通信ネットワークの性能が改善される。
【００６４】
ワイヤレス通信デバイスは、例えばソースネットワークノードとターゲットネットワークノードとの間をトランジションする際、中断時間と再アソシエーション手続に関連付けられるネットワークシグナリングとを有意に低減する。
【００６５】
例示の手法として、モビリティドメイン情報は、モビリティドメイン識別子（ＭＤＩＤ）若しくはモビリティドメインエレメント（ＭＤＥ）又はそれらの代表値（representation）を含む。
【００６６】
例えば、モビリティドメイン情報は、ＭＤＩＤ又はＭＤＥのハッシュ値を含んでもよい。
【００６７】
モビリティドメイン情報は、例えば、ＦＩＬＳディスカバリフレーム内の情報エレメントとして導入されてもよい。
【００６８】
オプションとして、モビリティドメイン情報は、ＦＩＬＳディスカバリフレーム内のベンダ固有エレメントとして導入される。
【００６９】
代替的に、モビリティドメイン情報は、ＦＩＬＳディスカバリフレームの一部であるＦＩＬＳ標識エレメント内のフィールドとして含められる。
【００７０】
具体的な例において、モビリティドメイン情報は、モビリティドメインに関する上記情報に基づいて、ワイヤレス通信デバイスがネットワークノードとのアソシエーションを高速基本サービスセット（ＢＳＳ）トランジション手続を通じて行うべきか否かを決定することを可能にする。
【００７１】
オプション的な実施形態において、アソシエーション手続の決定の際にワイヤレス通信デバイスを支援するための上記方法は、ワイヤレス通信デバイスとのアソシエーションを低減された認証手続を通じて行うこと、をも含む。図９のオプション的な（破線の）ステップ９０２を参照することができる。
【００７２】
他のオプション的な実施形態において、アソシエーション手続を決定するための上記方法は、低減された認証手続を通じてネットワークノードとのアソシエーションを行うこと、をも含む。図１１のオプション的な（破線の）ステップ１１０３を参照することができる。
【００７３】
具体的な例において、低減された認証手続は、高速ＢＳＳトランジション手続のアクション群を含む。
【００７４】
例示の手法として、モビリティドメインは、基本サービスセット（ＢＳＳ）間の高速ＢＳＳトランジション（ＦＴ）をサポートする、同じ拡張サービスセット（ＥＳＳ）の範囲内のＢＳＳの集合であると見なされてよく、その集合のモビリティドメイン識別子（ＭＤＩＤ）により識別される。従って、ＭＤＩＤは、モビリティドメインを識別する識別子の一例である。
【００７５】
ＦＴ初期モビリティドメインアソシエーションは、あるモビリティドメインの範囲内の最初のアソシエーション又は最初の再アソシエーション手続であると理解されてよく、その期間中にＳＴＡはＦＴ手続を使用するその意図を指し示す。
【００７６】
ある観点によれば、ワイヤレス通信ネットワークにおけるネットワークシグナリングのための高速初期リンクセットアップ（ＦＩＬＳ）ディスカバリフレームが提供され、当該ＦＩＬＳディスカバリフレームは、モビリティドメイン情報を含む。
【００７７】
よって、提案される技術の少なくとも１つの観点は、例えばネットワークノードとのアソシエーションを完全な認証手続を通じて行うべきか又は低減された認証手続を通じて行うべきかをワイヤレス通信デバイスが決定することを可能にするための、モビリティドメイン情報を含む高速初期リンクセットアップ（ＦＩＬＳ）ディスカバリフレームを生成する手続、及び／又は、ネットワークノードとワイヤレス通信デバイスとの間のそうしたフレームの交換に関する。
【００７８】
ここでの実施形態は、１つ以上のワイヤレス通信ネットワーク内で実装されてよく、図８にワイヤレス通信ネットワーク８００の関係する部分が描かれている。ワイヤレス通信ネットワーク８００は、例えばＷｉ−ＦｉなどのＷＬＡＮであってよく、これ以降では実施形態を例示するためにＷｉ−Ｆｉが使用されるであろう。
【００７９】
ワイヤレス通信ネットワーク８００は、複数のＡＰ及び／又は他のネットワークノードを含む。より具体的には、ワイヤレス通信ネットワーク８００は、は、ここではターゲットネットワークノードともいうネットワークノード８１１を含む。ワイヤレス通信ネットワーク８００は、ここではソースネットワークノードともいう第２のネットワークノード８１２を含み得る。
【００８０】
“ネットワークノード”との用語は、少なくとも無線ネットワークノードと通信するいかなる種類の無線ネットワークノード又はいかなるネットワークノードに相当してもよい。例えば、ネットワークノード８１１は、アクセスポイント（ＡＰ）、基地局、Ｗｉ−Ｆｉ  ＡＰ、基地局ルータ、又は、ワイヤレス通信デバイスと通信可能な任意の他のネットワークユニットであってよい。
【００８１】
基地局及びＷｉ−Ｆｉ  ＡＰなどのネットワークノードは、ネットワークノードのレンジの範囲内のワイヤレス通信デバイスとの間で無線周波数上で動作するエアインタフェース又は無線インタフェースを介して通信する。ワイヤレス通信デバイスは、アップリンク（ＵＬ）送信において基地局及びＷｉ−Ｆｉ  ＡＰなどのネットワークノードへデータを無線インタフェースを介して送信し、Ｗｉ−Ｆｉ  ＡＰ及び基地局などのネットワークノードは、ダウンリンク（ＤＬ）送信においてワイヤレス通信デバイスへエアインタフェース又は無線インタフェースを介してデータを送信する。
【００８２】
ここでの実施形態において、ＳＴＡともいうワイヤレス通信デバイス８３０は、ネットワークノード８１１の通信レンジ内にいるが、ネットワークノード８１１に対する認証手続を未だ開始していない。
【００８３】
いくつかの実施形態において、ワイヤレス通信デバイス８３０は、第２のネットワークノード８１２と第１のネットワークノード８１１との間のトランジション処理中である。
【００８４】
ワイヤレス通信デバイス８３０は、さらに、例えばモバイル端末若しくはワイヤレス端末、ユーザ機器（ＵＥ）、モバイルフォン、例えばワイヤレスケイパビリティを伴う、ラップトップ、ＰＤＡ（Personal  Digital  Assistants）、若しくはサーフプレートということもあるタブレットコンピュータ、ターゲットデバイス、デバイスツーデバイスＵＥ、ＭＴＣ  ＵＥ若しくはマシンツーマシン通信可能なＵＥ、ｉＰａｄ、スマートフォン、ＬＥＥ（Laptop  Embedded  Equipment）、ＬＭＥ（Laptop  Mounted  Equipment）、ＵＳＢドングルなど、又は、ワイヤレス通信ネットワークにおいて無線リンク上で通信可能な任意の他の無線ネットワークユニットであってよい。
【００８５】
なお、ここで使用されるユーザ機器との用語は、それらがユーザを有しないとはいえ、Ｍ２Ｍ（machine  to  machine）などの他のワイヤレス通信デバイスをもカバーすることに留意されたい。
【００８６】
ここで説明される方法及びデバイスは、多様な手法で組み合わせられ及び再配置されることができることが理解されるであろう。
【００８７】
例えば、実施形態は、適切な処理回路による実行のために、ハードウェアで若しくはソフトウェアで、又はそれらの組み合わせで実装されてもよい。
【００８８】
ここで説明されるステップ、機能、手続、モジュール及び／又はブロックは、汎用の電子回路及び特定用途の回路の双方を含む、離散回路又は集積回路技術などのいかなる旧来の技術を用いるハードウェアで実装されてもよい。
【００８９】
具体的な例は、１つ以上の好適に構成されたデジタル信号プロセッサ、及び、例えば特殊化された機能を実行するように相互接続される離散ロジックゲート又はＡＳＩＣ（Application  Specific  Integrated  Circuits）などの他の既知の電子回路を含む。
【００９０】
代替的に、ここで説明されるステップ、機能、手続、モジュール及び／又はブロックの少なくともいくつかは、１つ以上のプロセッサ又は処理ユニットなどの適した処理回路による実行のためのコンピュータプログラムなどのソフトウェアで実装されてもよい。
【００９１】
処理回路の例は、限定ではないものの、１つ以上のマイクロプロセッサ、１つ以上のＤＳＰ（Digital  Signal  Processors）、１つ以上のＣＰＵ（Central  Processing  Units）、ビデオアクセラレーションハードウェア、及び／又は、１つ以上のＦＰＧＡ（Field  Programmable  Gate  Arrays）若しくは１つ以上のＰＬＣ（Programmable  Logic  Controllers）などの任意の適したプログラマブルロジック回路を含む。
【００９２】
また、理解されるべきこととして、任意の旧来のデバイス又はユニットの汎用的な処理ケイパビリティを、提案される技術が実装されるように再利用することが可能であり得る。また、例えば既存のソフトウェアを再プログラミングし又は新たなソフトウェアコンポーネントを追加することにより、既存のソフトウェアを再利用することも可能であり得る。
【００９３】
以下のセクションでは、ワイヤレス通信ネットワーク８００においてネットワークノード８１１に対する認証手続を決定するための、又は決定を支援するための方法及び実装の例が、より詳細にいくつかの例示的な実施形態によって説明されるであろう。以下の実施形態は、一例としてＷｉ−Ｆｉを用いて説明され、ネットワークノード８１１はＡＰとなる。
【００９４】
留意すべきこととして、以下の実施形態は相互排他的ではない。１つの実施形態のコンポーネントが他の実施形態でも存在するものと暗に想定されてもよく、当業者にとってそれらコンポーネントを他の例示的な実施形態においていかに使用し得るかは明白であろう。
【００９５】
以下では、ネットワークノードに関する実施形態が説明されるであろう。
【００９６】
ある観点によれば、ワイヤレス通信ネットワークにおいてネットワークノードに対するアソシエーション手続の決定においてワイヤレス通信デバイスを支援するように構成される上記ネットワークノードが提供される。
【００９７】
上記ネットワークノードは、高速初期リンクセットアップ（ＦＩＬＳ）ディスカバリフレームにおいて、上記ネットワークノードが属するモビリティドメインに関する情報を上記ワイヤレス通信デバイスへ送信して、上記ネットワークノードとのアソシエーションを完全な認証手続を通じて行うべきか又は低減された認証手続を通じて行うべきかを上記ワイヤレス通信デバイスが決定することを可能にする、ように構成される。例示の手法として、上記ネットワークノードは、モビリティドメイン識別子（ＭＤＩＤ）若しくはモビリティドメインエレメント（ＭＤＥ）又はそれらの代表値を含むモビリティドメイン情報を送信する、ように構成されてもよい。
【００９８】
例えば、上記ネットワークノードは、ＦＩＬＳディスカバリフレーム内の情報エレメントとして、モビリティドメイン情報を送信する、ように構成されてもよい。
【００９９】
具体的な例において、上記ネットワークノードは、モビリティドメイン情報を送信して、ワイヤレス通信デバイスがモビリティドメインに関する上記情報に基づいて上記ネットワークノードとのアソシエーションを高速基本サービスセット（ＢＳＳ）トランジション手続を通じて行うべきか否かを判定することを可能にする、ように構成される。
【０１００】
オプション的な実施形態において、上記ネットワークノードは、低減された認証手続を通じてワイヤレス通信デバイスとのアソシエーションを行う、ように構成されてもよい。
【０１０１】
一例として、上記ネットワークノードは、高速基本サービスセット（ＢＳＳ）トランジション手続を通じてワイヤレス通信デバイスとのアソシエーションを行う、ように構成されてもよい。
【０１０２】
ネットワークノード８１１の実施形態の説明例が図９及び図１０を参照しながら説明される。
【０１０３】
ここでの実施形態のある観点によれば、ワイヤレス通信ネットワーク８００においてネットワークノード８１１に対するアソシエーション手続を決定する際にワイヤレス通信デバイス８３０を支援するための、ネットワークノード８１１により実行される方法が提供される。
【０１０４】
ネットワークノード８１１は次のことを行ってよい：
・高速初期リンクセットアップ（ＦＩＬＳ）ディスカバリフレームにおいて、上記ネットワークノードが属するモビリティドメインに関する情報をワイヤレス通信デバイスへ送信９０１する。上記情報は、ワイヤレス通信デバイスが上記ネットワークノードとのアソシエーションを高速基本サービスセット（ＢＳＳ）トランジション手続を通じて行うべきか否かを、上記モビリティドメインに関する情報に基づいて判定することを可能にする。
・（オプション）ワイヤレス通信デバイス８３０との低減された認証手続を通じたアソシエーション９０２を行う。低減された認証手続は、ＷＬＡＮ高速ＢＳＳトランジションに関連して上で説明したアクション群を含み得る。
【０１０５】
具体的な例において、ネットワークノード８１１は、プロセッサ１０８０及びメモリ１０９０を備え、当該メモリは、プロセッサにより実行可能な命令を含み、それにより、プロセッサは、ネットワークノードに対するアソシエーション手続を決定する際にワイヤレス通信デバイスを支援する、ように動作可能である。
【０１０６】
ステップ９０１におけるアクションは、ネットワークノード８１１内の送信モジュール１０１０などの手段により実行されてもよい。送信モジュール１０１０は、ネットワークノード８１１内の送信機及びプロセッサ１０８０のうちの任意の１つ以上により実装されてよい。
【０１０７】
ステップ９０２におけるアクションは、ネットワークノード８１１内のアソシエーションモジュール１０２０などの手段により実行されてもよい。アソシエーションモジュール１０２０は、ネットワークノード８１１内のプロセッサ１０８０により実装されてもよい。
【０１０８】
以下の実施形態では、ワイヤレス通信デバイスに関する実施形態が説明される。
【０１０９】
ある観点によれば、ワイヤレス通信ネットワークにおいてネットワークノードに対するアソシエーション手続を決定するように構成されるワイヤレス通信デバイスが提供される。
【０１１０】
ワイヤレスデバイスは、ネットワークノードから、高速初期リンクセットアップ（ＦＩＬＳ）ディスカバリフレームにおいて、上記ネットワークノードが属するモビリティドメインに関する情報を受信する、ように構成される。
【０１１１】
また、ワイヤレスデバイスは、ネットワークノードとのアソシエーションを完全な認証手続を通じて行うべきか又は低減された認証手続を通じて行うべきかを、モビリティドメインに関する上記情報に基づいて決定する、ように構成される。
【０１１２】
例示の手法として、ワイヤレスデバイスは、モビリティドメイン識別子（ＭＤＩＤ）若しくはモビリティドメインエレメント（ＭＤＥ）又はそれらの代表値を含むモビリティドメイン情報を受信する、ように構成されてもよい。
【０１１３】
例えば、ワイヤレスデバイスは、ＦＩＬＳディスカバリフレーム内の情報エレメントとしてモビリティドメイン情報を受信する、ように構成されてもよい。
【０１１４】
具体的な例において、ワイヤレスデバイスは、モビリティドメイン情報を受信して、上記ワイヤレス通信デバイスがモビリティドメインに関する上記情報に基づいて上記ネットワークノードとのアソシエーションを高速基本サービスセット（ＢＳＳ）トランジション手続を通じて行うべきか否かを判定することを可能にする、ように構成される。
【０１１５】
オプション的な実施形態において、ワイヤレスデバイスは、低減された認証手続を通じてネットワークノードとのアソシエーションを行う、ように構成される。
【０１１６】
例えば、ワイヤレスデバイスは、高速基本サービスセット（ＢＳＳ）トランジション手続を通じてネットワークノードとのアソシエーションを行う、ように構成されてもよい。
【０１１７】
ワイヤレス通信デバイス８３０の実施形態の説明例が図１１及び図１２を参照しながら説明される。
【０１１８】
ここでの実施形態のある観点によれば、ワイヤレス通信ネットワーク８００においてネットワークノード８１１に対するアソシエーション手続を決定するための、ワイヤレス通信デバイス８３０により実行される方法が提供される。
【０１１９】
ワイヤレス通信デバイス８３０は次のことを行ってよい：
・ネットワークノード８１１から、高速初期リンクセットアップ（ＦＩＬＳ）ディスカバリフレームにおいて、当該ネットワークノードが属するモビリティドメインに関する情報を受信１１０１する。
・ネットワークノード８１１とのアソシエーションを高速基本サービスセット（ＢＳＳ）トランジション手続を通じて行うべきか否かを、モビリティドメインに関する上記情報に基づいて判定１１０２する。
・（オプション）ネットワークノード８１１とのアソシエーションを低減された認証手続を通じて行う。低減された認証手続は、ＷＬＡＮ高速ＢＳＳトランジションに関連して上で説明したアクション群を含み得る。
【０１２０】
具体的な例において、ワイヤレス通信デバイス８３０は、プロセッサ１２８０及びメモリ１２９０を備え、当該メモリは、プロセッサにより実行可能な命令を含み、それにより、プロセッサは、ネットワークノードに対するアソシエーション手続を決定するように動作可能である。
【０１２１】
ステップ１１０１におけるアクションは、ワイヤレス通信デバイス８３０内の受信モジュール１２１０などの手段により実行されてもよい。受信モジュール１２１０は、ワイヤレス通信デバイス８３０内の送信機及びプロセッサ１２８０のうちの任意の１つ以上により実装されてよい。
【０１２２】
ステップ１１０２におけるアクションは、ワイヤレス通信デバイス８３０内の判定モジュール１２２０などの手段により実行されてもよい。判定モジュール１２２０は、ワイヤレス通信デバイス８３０内のプロセッサ１２８０により実装されてもよい。
【０１２３】
ステップ１１０３におけるアクションは、ワイヤレス通信デバイス８３０内のアソシエーションモジュール１２３０などの手段により実行されてもよい。アソシエーションモジュール１２３０は、ワイヤレス通信デバイス８３０内のプロセッサ１２８０により実装されてもよい。
【０１２４】
ここでの実施形態は、ネットワークノード８１１において実行されてもよい。ネットワークノード８１１は、接続をハンドリングするための、上で言及され図１０に描かれたモジュール群を備え得る。
【０１２５】
ここでの実施形態は、ワイヤレス通信デバイス８３０において実行されてもよい。ワイヤレス通信デバイス８３０は、接続をハンドリングするための、上で言及され図１２に描かれたモジュール群を備え得る。
【０１２６】
以下では、ワイヤレス通信のためのフレームを決定するように構成される配置に関する実施形態が説明されるであろう。
【０１２７】
ある観点によれば、ワイヤレス通信のためのフレームを生成するように構成される配置が提供される。当該配置は、ワイヤレス通信ネットワークにおけるネットワークシグナリングのための高速初期リンクセットアップ（ＦＩＬＳ）ディスカバリフレーム内にモビリティドメイン情報を含める、ように構成される。
【０１２８】
例示の手法として、上記配置は、ＦＩＬＳディスカバリフレーム内にモビリティドメイン識別子（ＭＤＩＤ）若しくはモビリティドメインエレメント（ＭＤＥ）又はそれらの代表値を含める、ように構成される。
【０１２９】
例えば、上記配置は、ＦＩＬＳディスカバリフレーム内の情報エレメントとしてモビリティドメイン情報を導入する、ように構成されてもよい。
【０１３０】
具体的な例において、モビリティドメイン情報は、ワイヤレス通信デバイスがモビリティドメインに関する情報に基づいてネットワークノードとのアソシエーションを高速基本サービスセット（ＢＳＳ）トランジション手続を通じて行うべきか否かを判定することを可能にする。
【０１３１】
配置の説明例が図１５及び図１６を参照しながら説明される。
【０１３２】
ここでの実施形態のある観点によれば、ワイヤレス通信のためのフレームを生成する方法が提供される。
【０１３３】
配置１５００は次のことを行ってよい：
・ワイヤレス通信ネットワークにおけるネットワークシグナリングのための高速初期リンクセットアップ（ＦＩＬＳ）ディスカバリフレーム内にモビリティドメイン情報を含める１３０１。
【０１３４】
具体的な例において、配置１５００は、プロセッサ１５８０及びメモリ１５９０を備え、当該メモリは、プロセッサにより実行可能な命令を含み、それにより、プロセッサは、ＦＩＬＳディスカバリフレームを生成するように動作可能である。
【０１３５】
ステップ１３０１におけるアクションは、配置１５００内のフレーム生成モジュール１５１０などの手段により実行されてもよい。フレーム生成モジュール１５１０は、例えばプロセッサ１５８０により実装されてもよい。
【０１３６】
図１０を再び参照すると、理解されるべきこととして、ネットワークノード８１１のプロセッサ１０８０及びメモリ１０９０は、図１６との関係において上で説明したものと等価な配置であると見なされてもよい。
【０１３７】
ここで呈示したフロー図は、１つ以上のプロセッサにより実行される場合、コンピュータフローの図であると見なされてよい。対応するネットワークノード、ワイヤレスデバイス又は同様の配置は、機能モジュールの集合として定義されてもよく、プロセッサにより実行される各ステップが機能モジュールに対応する。よって、メモリに所在するコンピュータプログラムは、プロセッサにより実行された場合に、ここで説明したステップ群及び／又はタスク群の少なくとも一部を実行する、ように構成される適切な機能モジュール群として編成されてよい。
【０１３８】
図１０を再び参照すると、ワイヤレス通信ネットワークにおいてネットワークノードに対するアソシエーション手続の決定においてワイヤレス通信デバイスを支援するための上記ネットワークノードが提供される。ネットワークノード８１１は、高速初期リンクセットアップ（ＦＩＬＳ）ディスカバリフレームを、当該ネットワークノードが属するモビリティドメインに関する情報を含めることにより、ワイヤレスデバイスへの送信のために準備して、当該ネットワークノードとのアソシエーションを完全な認証手続を通じて行うべきか又は低減された認証手続を通じて行うべきかをワイヤレス通信デバイスが決定することを可能にするための準備モジュール１００５、を備える。
【０１３９】
図１２を再び参照すると、ワイヤレス通信ネットワークにおいてネットワークノードに対するアソシエーション手続を決定するためのワイヤレスデバイス８３０が提供される。ワイヤレスデバイス８３０は、高速初期リンクセットアップ（ＦＩＬＳ）ディスカバリフレームにおいてネットワークノードから受信される、当該ネットワークノードが属するモビリティドメインに関する情報に基づいて、上記ワイヤレス通信デバイスの当該ネットワークノードとのアソシエーションを完全な認証手続を通じて行うべきか又は低減された認証手続を通じて行うべきかを決定するための決定モジュール１２２０、を備える。
【０１４０】
図１６を再び参照すると、ワイヤレス通信のためのフレームを生成するための配置が提供される。配置１５００は、高速初期リンクセットアップ（ＦＩＬＳ）ディスカバリフレームを、当該ＦＩＬＳディスカバリフレーム内にモビリティドメイン情報を含めることにより生成するためのフレーム生成モジュール１５１０、を備える。
【０１４１】
代替的に、機能モジュールは、主にハードウェアモジュールにより実装され、又は代替的に関係するモジュール間の適切な相互接続を伴うハードウェアにより実装される。具体的な例は、前に述べたように、１つ以上の好適に構成されたデジタル信号プロセッサ、及び、例えば特殊化された機能を実行するように相互接続される離散ロジックゲート又はＡＳＩＣ（Application  Specific  Integrated  Circuits）などの他の既知の電子回路を含む。使用可能なハードウェアの他の例は、入出力（Ｉ／Ｏ）回路、及び／又は信号を送受信するための回路を含む。ソフトウェア対ハードウェアの範囲は、純粋に実装上の選択である。
【０１４２】
次に、いくつかの実施形態がより詳細に説明されるであろう。
【０１４３】
実施形態１：１つの実施形態において、モビリティドメイン情報がＦＩＬＳディスカバリ（ＦＤ）フレーム内に含められる。１つのオプションは、モビリティドメイン情報をＦＩＬＳディスカバリフレーム内の新たな情報エレメントとして導入することである。結果としてのＦＩＬＳディスカバリフレームの一例が図１３に示されている。
【０１４４】
それに応じて、図１３の例を参照すると、ワイヤレス通信ネットワークにおけるネットワークシグナリングのための高速初期リンクセットアップ（ＦＩＬＳ）ディスカバリフレーム１４００が提供され、ＦＩＬＳディスカバリフレーム１４００は、モビリティドメイン情報１４０１を含む。
【０１４５】
他のオプションは、モビリティドメイン情報をＦＩＬＳディスカバリフレーム内のベンダ固有エレメントとして導入することである。
【０１４６】
このケースにおいて、ベンダ固有エレメントは、Ｗｉ−Ｆｉアライアンスプログラムにおいて導入されたベンダ固有エレメントのフォーマット化のためのＷＦＡのインストラクション及びポリシーに従ってフォーマット化されてよい。エレメントのフォーマット化の一例が図１４に示されている。
【０１４７】
図１４におけるフィールドは次の意味を有する：
・エレメントＩＤ（Element  ID）は、１オクテットのフィールドであり、その値はベンダ固有の情報エレメントのための値である２２１に設定される。
・長さ（Length）フィールドは、１オクテットのフィールドであり、モビリティドメイン情報フィールドの長さプラスＯＩフィールド及びタイプフィールドの長さを示す。
・ＯＩは、３オクテットのフィールドである。Ｗｉ−Ｆｉアライアンスにより使用されるところによれば、ＯＩフィールドの内容は、0x  50  6F  9Aという値に設定される。
・タイプ（Type）フィールドは、１オクテットのフィールドであり、値0x10に設定される。
・モビリティドメイン情報（Mobility  Domain  information）フィールドは、あるＦＩＬＳ  ＡＰが属するモビリティドメインに関する情報を搬送する。後の実施形態において、正確な情報の複数のオプションが与えられる。
【０１４８】
実施形態２：実施形態１に関連する他の実施形態において、モビリティドメイン情報は、全面的なモビリティドメインエレメント（ＭＤＥ）である。これは、ＦＤフレームが現時点で存在するエレメントのリスト内に他のエレメントとしてＭＤＥを含むであうことを示唆する。これの代替案は、モビリティドメイン情報がＭＤＥに含まれるフィールドのうちの１つであるモビリティドメイン識別子（ＭＤＩＤ）のみを搬送することである。これは、ＦＤフレームが現時点で存在するフィールド及びエレメントのリストに対する他のフィールド又はエレメントとしてＭＤＩＤを含み得ることを示唆する。後者の提案ではＦＤフレームに２オクテットのみが追加され、反対に、ＭＤＥ全体が含められる場合にはそれは５オクテットである。
【０１４９】
実施形態３：実施形態１及び２に関連する他の実施形態において、ＦＤフレームに追加されるモビリティドメイン情報は、実施形態２において説明した２つのオプションの通りのＭＤＥ又はＭＤＩＤのいずれかのハッシュ値である。ハッシュ関数は、任意のサイズのデジタルデータを固定サイズのデジタルデータへマッピングするために使用され得る何らかの関数である。ハッシュ関数により返却される値は、ハッシュ値、ハッシュコード、ハッシュサム又は単にハッシュと呼ばれる。
【０１５０】
ハッシュ値を使用する利益は複数存在し、そのうちの１つは、ハッシュ手続におけるＭＤＥ及びＭＤＩＤのサイズの削減である。サイズの削減は、ＦＤフレームへ追加されエア上を最終的に伝送される情報の量がより少ないことを示唆する。これは、さらに、ネットワークノード８１１及びワイヤレス通信デバイス８３０の性能を改善する。
【０１５１】
実施形態４：実施形態１に関連する他の実施形態において、モビリティドメイン情報は、ＦＩＬＳ標識（FILS  Indication）エレメント内の新たなフィールドとして含められる。ＦＩＬＳ情報エレメントは、ＦＤフレームの一部である。また、このケースでは、どの情報を含めるべきかに関して複数のオプションが利用可能である。１つのオプションにおいて、ＭＤＥは、ＦＩＬＳ標識エレメント内に含められるであろう。他のオプションにおいて、ＭＤＩＤのみがＦＩＬＳ標識エレメント内に含められるであろう。さらに、ＭＤＥ又はＭＤＩＤの全体を含める代わりに、それらのいずれかのハッシュバージョンを包含することが可能である。
【０１５２】
ＦＩＬＳ  ＡＰが属するモビリティドメインに関する情報をＦＩＬＳディスカバリフレームが搬送することから、ＦＩＬＳ  ＳＴＡなどのワイヤレス通信デバイス８３０は、ＦＩＬＳ  ＡＰなどのネットワークノード８１１への高速ＢＳＳトランジションが可能であるか否かを発見することができる。これは、ワイヤレス通信デバイス８３０とネットワークノード８１１との間のアソシエーション及び／又は再アソシエーション手続を改善する。
【０１５３】
既に述べたように、ここでの実施形態は、図１０に描いたネットワークノード８１１内のプロセッサ１０８０、図１２に描いたワイヤレス通信デバイス８３０内のプロセッサ１２８０などの１つ以上のプロセッサを通じて、ここでの実施形態の機能及びアクションを実行するためのコンピュータプログラムコードと共に実装されてもよい。上述したプログラムコードは、ネットワークノード８１１及びＵＥ８３０へロードされた場合にここでの実施形態を実行するためのコンピュータプログラムコードを搬送する例えばデータキャリアの形式の、コンピュータプログラムプロダクトとして提供されてもよい。そうした１つのキャリアは、ＣＤ  ＲＯＭディスクの形式であり得る。しかしながら、メモリスティックといった他のデータキャリアでも実現可能である。コンピュータプログラムコードは、さらに、サーバ上のプログラムコードとして提供され、ネットワークノード８１１及びワイヤレス通信デバイス８３０へダウンロードされてもよい。
【０１５４】
よって、ネットワークノード８１１及びワイヤレス通信デバイス８３０のための、ここで説明される実施形態に係る方法は、少なくとも１つのプロセッサ上で実行された場合に、少なくとも１つのプロセッサに、ネットワークノード８１１及びワイヤレス通信デバイス８３０により実行されるものとしてここで説明したアクション群を遂行させる命令（即ち、ソフトウェアコード部分）、を含むコンピュータプログラムプロダクトの手段により実装されてもよい。
【０１５５】
コンピュータプログラムプロダクトは、コンピュータ読取可能な記憶媒体上に記憶されてもよい。記憶済みのコンピュータプログラムを有するコンピュータ読取可能な記憶媒体は、少なくとも１つのプロセッサ上で実行された場合に、少なくとも１つのプロセッサに、ネットワークノード８１１及びワイヤレス通信デバイス８３０により実行されるものとしてここで説明したアクション群を遂行させる命令、を含んでよい。いくつかの実施形態において、コンピュータ読取可能な記憶媒体は、非一時的なコンピュータ読取可能な記憶媒体であってよい。
【０１５６】
さらに、ネットワークノード８１１及びワイヤレス通信デバイス８３０は、１つ以上のメモリユニットを含むメモリ１０９０、１２９０を各々備えてもよい。メモリ１０９０、１２９０は、ネットワークノード８１１及びワイヤレス通信デバイス８３０において実行された場合にここでの方法を遂行するための、情報エレメント、モビリティドメインに関する情報、識別子及びアプリケーションなどといった取得される情報を記憶するために使用されるように配置される。
【０１５７】
当業者は、上述した様々なモジュールがアナログ回路及びデジタル回路、並びに／又はソフトウェア及び／若しくはファームウェアと共に構成される１つ以上のプロセッサの組み合わせへの言及であってよいことを理解するであろう。例えばメモリ内に記憶されるソフトウェア及び／又はファームウェアは、ネットワークノード８１１及びワイヤレス通信デバイス８３０内のプロセッサなどの１つ以上のプロセッサにより実行された場合に、上述したように稼動する。それらプロセッサの１つ以上と共に他のデジタルハードウェアがＡＳＩＣ（Application-Specific  Integrated  Circuit）に含まれてもよく、又は、複数のプロセッサ及び多様なデジタルハードウェアが個別にパッケージ化されるか若しくはＳｏＣ（System-on-a-Chip）へ組み立てられるかに関わらず複数の別個のコンポーネントに分散されてもよい。
【０１５８】
図１７は、一実施形態に係るコンピュータ実装の一例を示す概略図である。
【０１５９】
この具体的な例において、ここで説明したステップ、機能、手続、モジュール及び／又はブロックの少なくともいくつかはコンピュータプログラム１６２５、１６３５で実装され、コンピュータプログラム１６２５、１６３５は、１つ以上のプロセッサ１６１０を含む処理回路による実行のために外部の担体１６３０からメモリ１６２０へロードされる。プロセッサ１６１０及びメモリ１６２０は、通常のソフトウェア実行を可能にするために互いに相互接続される。オプション的な入力／出力デバイスが、入力パラメータ及び／又は結果的な出力パラメータといった関係するデータの入出力を可能とするために、プロセッサ及び／又はメモリへ相互接続されてもよい。
【０１６０】
“プロセッサ”との用語は、具体的な処理、決定若しくはコンピューティングタスクを実行するためにプログラムコード若しくはコンピュータプログラム命令を実行可能な任意のシステム又はデバイスとしての、一般的な意味で解釈されるべきである。
【０１６１】
よって、１つ以上のプロセッサを含む処理回路は、コンピュータプログラムを実行する場合に、ここで説明した内容のような良好に定義された処理タスクを行うように構成される。
【０１６２】
処理回路は、上述したステップ、機能、手続及び／又はブロックの実行のみに特化していなくてもよく、他のタスクをも実行してよい。
【０１６３】
具体的な例において、少なくとも１つのプロセッサにより実行された場合に、上記少なくとも１つのプロセッサに、高速初期リンクセットアップ（ＦＩＬＳ）ディスカバリフレーム内にネットワークノードが属するモビリティドメインに関する情報を含めることにより、上記ＦＩＬＳディスカバリフレームを上記ネットワークノードからワイヤレスデバイスへの送信のために準備して、上記ネットワークノードとのアソシエーションを完全な認証手続を通じて行うべきか又は低減された認証手続を通じて行うべきかを上記ワイヤレス通信デバイスが決定することを可能にすること、を行わせる命令、を含むコンピュータプログラムが提供される。
【０１６４】
他の例において、少なくとも１つのプロセッサにより実行された場合に、上記少なくとも１つのプロセッサに、高速初期リンクセットアップ（ＦＩＬＳ）ディスカバリフレームにおいてネットワークノードから受信される、上記ネットワークノードが属するモビリティドメインに関する情報に基づいて、ワイヤレス通信デバイスの上記ネットワークノードとのアソシエーションを完全な認証手続を通じて行うべきか又は低減された認証手続を通じて行うべきかを決定すること、を行わせる命令、を含むコンピュータプログラムが提供される。
【０１６５】
また別の例において、少なくとも１つのプロセッサにより実行された場合に、上記少なくとも１つのプロセッサに、高速初期リンクセットアップ（ＦＩＬＳ）ディスカバリフレーム内にモビリティドメイン情報を含めることにより、ワイヤレス通信のためのフレームを生成すること、を行わせる命令、を含むコンピュータプログラムが提供される。
【０１６６】
提案される技術は、ここで説明したコンピュータプログラムのいずれかを含む、電子信号、光信号、電磁信号、磁気信号、電気信号、無線信号、マイクロ波信号又はコンピュータ読取可能な記憶媒体のうちの１つである担体もまた提供する。
【０１６７】
例示の手法として、ソフトウェア又はコンピュータプログラム１６２５、１６３５は、具体的には不揮発性の媒体であるコンピュータ読取可能な媒体１６２０、１６３０上で通常は担持され又は記憶されるコンピュータプログラムプロダクトとして実現されてもよい。コンピュータ読取可能な媒体は、限定ではないものの、ＲＯＭ（Read-Only  Memory）、ＲＡＭ（Random  Access  Memory）、ＣＤ（Compact  Disc）、ＤＶＤ（Digital  Versatile  Disc）、ブルーレイディスク、ＵＳＢ（Universal  Serial  Bus）メモリ、ＨＤＤ（Hard  Disk  Drive）、ストレージデバイス、フラッシュメモリ、磁気テープ、又は他の任意の旧来のメモリデバイスを含む、１つ以上の取外し可能な又は取外し不能なメモリデバイスを含み得る。
【０１６８】
よって、例えば、コンピュータプログラムは、外部の担体１６３０から、プロセッサ１６１０による実行のためにコンピュータ又は等価の処理デバイスの動作メモリ１６２０などのコンピュータ内部の担体へロードされてもよい。“〜を含む／備える（comprise又はcomprising）”との語が使用される場合、それは、非限定的なものとして、即ち“少なくとも〜からなる”を意味するものとして解釈されるものとする。
【０１６９】
ここでの実施形態は、上述した好適な実施形態に限定されない。多様な変形、修正及び均等物が使用されてよい。従って、上の実施形態は、スコープを限定するものと受け取られるべきではなく、むしろそのスコープは添付の特許請求の範囲により定義される。
【０１７０】
＜文献＞
［１］ＩＥＥＥ８０２．１１−２０１２，チャプター８．３．３．２．
［２］ＲＦＣ４１８６，  チャプター７及びチャプター１０．２．
［３］ＲＦＣ３５７９
［４］ＵＳ２０１４／０１０２２３
［５］ＵＳ２０１３／２３００３５
【図１】
0006491755.tif 000002
【図２】
0006491755.tif 000003
【図３】
0006491755.tif 000004
【図４】
0006491755.tif 000005
【図５】
0006491755.tif 000006
【図６】
0006491755.tif 000007
【図７】
0006491755.tif 000008
【図８】
0006491755.tif 000009
【図９】
0006491755.tif 000010
【図１０】
0006491755.tif 000011
【図１１】
0006491755.tif 000012
【図１２】
0006491755.tif 000013
【図１３】
0006491755.tif 000014
【図１４】
0006491755.tif 000015
【図１５】
0006491755.tif 000016
【図１６】
0006491755.tif 000017
【図１７】
0006491755.tif 000018